(57)【要約】【課題】配達先の契約者に速やかに通知でき、契約者がドア７を開けて配達物５を取出す状況を記録することによって不正等を容易に確認できる。【解決手段】箱体１内部の配達物５の有無を検出する配達センサ８と、箱体１のドア７の開閉を検出するドアセンサ１０と、配達センサ８が配達物５を検出したときに配達先に自動的に知らせる手段と、ドアセンサ１０がドア７の開閉を検出したときに該当する箱体１付近を撮影及び記録する手段とを設けることを特徴とする。【選択図】      図１
2005013327.tif 000002
【特許請求の範囲】
【請求項１】
配達物を配達先に分けて保管する複数の箱体を設ける配達システムにおいて、箱体内部の配達物の有無を検出する配達センサと、箱体のドアの開閉を検出するドアセンサと、配達センサが配達物を検出したときに配達先に自動的に知らせる手段と、ドアセンサがドアの開閉を検出したときに該当する箱体付近を撮影及び記録する手段とを設けることを特徴とする配達システム。
【請求項２】
配達センサ及びドアセンサの検出結果に基づき、電話回線を用いて配達先に配達物が有ることを知らせる管理コンピュータを設けることを特徴とする請求項１に記載の配達システム。
【発明の詳細な説明】
【０００１】
【発明の属する技術分野】
本発明は例えば郵便物を入れる郵便局の私書箱または集合住宅の郵便受など、配達物を配達先に分けて保管する複数の箱体を設ける配達システムに関する。
【０００２】
【従来の技術】
従来コインロッカーまたは宅配ボックスを利用して荷物（配達物）を配達先に届ける技術がある。（例えば特許文献１参照）
【０００３】
【特許文献１】特開２００３−１６５２０
【０００４】
【発明が解決しようとする課題】
前記従来技術は、電子錠を用いて施錠管理するから、施錠及び開錠の操作が複雑であり、例えばコインロッカーまたは宅配ボックスのドアが無理に破られることに対しては安全性が低いと共に、暗証番号を用いて開錠する必要があり、また盗難に際しては荷物（配達物）の出入の履歴または不正の確認などを容易に行い得ない等の問題がある。
【０００５】
【課題を解決するための手段】
然るに、本発明は、配達物を配達先に分けて保管する複数の箱体を設ける配達システムにおいて、箱体内部の配達物の有無を検出する配達センサと、箱体のドアの開閉を検出するドアセンサと、配達センサが配達物を検出したときに配達先に自動的に知らせる手段と、ドアセンサがドアの開閉を検出したときに該当する箱体付近を撮影及び記録する手段とを設けるもので、例えば設置者が箱体に配達物を入れることによって配達先の契約者に速やかに通知し得、契約者が箱体のドアを開けて配達物を取出す状況を記録することによって不正等を容易に確認し得、配達物の出入の履歴を見ることによって箱体の稼動状況または不正等の追跡調査などを容易に行い得るものである。
【０００６】
また、請求項２の如く、配達センサ及びドアセンサの検出結果に基づき、電話回線を用いて配達先に配達物が有ることを知らせる管理コンピュータを設けるもので、配達物の有無並びにドアの開閉の検出によって配達先の契約者が配達物を取出すのを忘れる等の不具合をなくし得ると共に、例えばドアの不正な開閉によって配達物が紛失する事故が発生したときに追跡調査など適正な対処を速やかに行い得るものである。
【０００７】
【発明の実施の形態】
以下、本発明の実施例を図面に基づいて詳述する。図１は全体の説明図であり、四角箱形の箱体である複数のメールボックス１を多層及び多列形に設置させ、郵便局の私書箱または集合住宅の郵便受けとして前記メールボックス１を使用すると共に、メールボックス１の設置場所を撮影する複数のビデオカメラ２と、各メールボックス１及び各ビデオカメラ２に通信接続させる管理コンピュータ３を設ける。
【０００８】
さらに、図２はメールボックス１の側面図、図３は同平面図であり、建屋の間仕切り壁４の一部を形成するようにメールボックス１を設置させ、配達物である封筒またははがきなどのメール５を入れる投入口６と、メール５を取出すドア７を、メールボックス１の対向する側面部に設けると共に、ボックス１内に投入されたメール５を検出する光センサ形の配達センサ８と、ドア７の錠９の開閉を検出するドアセンサ１０とを、メールボックス１に設け、配達センサ８によってメール５の有無を検出して管理コンピュータ３に入力させ、かつドアセンサ１０によってドア７の開閉を検出して管理コンピュータ３に入力させるもので、配達センサ８によってメール５が検出されたとき、該当するメールボックス１の契約者の個別コンピュータ１１に管理コンピュータ３から電話回線１２を介してインターネットの電子メール送信によって通知すると共に、ドアセンサ１０によってドア７開が検出されたとき、ビデオカメラ２を作動させて該当するメールボックス１付近を撮影させ、この撮影画像及び日時を管理コンピュータ３に記録させる。
【０００９】
さらに、図４に示す如く、入力キーボード１３とディスプレイ１４を管理コンピュータ３に備え、各メールボックス１に夫々設けるメールセンサ８及びドアセンサ１０をメールコントローラ１５を介して管理コンピュータ３に接続させると共に、送受信コントローラ１６を介して管理コンピュータ３を契約者の個別コンピュータ１１に接続させる。そして、図５のフローチャートに示す如く、メールセンサ８の入力によってメールボックス１に投入されたメール５が検出されたとき、該当する契約者（配送先）の個別コンピュータ１１にメール５が有ることを電子メール送信によって自動的に通知する。また、メール５の投入を通知した後でドア７が開放されることなく一定の時間（例えば１２時間）が経過したとき、契約者にメール５が有ることを自動的に再通知すると共に、メールボックス１のドア７が開けられてメール５が取出されることにより、ドア７開の検出によってカメラ２を作動させ、該当するメールボックス１付近を撮影して録画し、ドア７を開けてメール５を取出した人及び日時を記録する。また、管理コンピュータ３または個別コンピュータ１１の操作によってメール５の取出チェックを行うことにより、メールボックス１の使用履歴を表示し、メール５の受け渡し状況を知らせると共に、ドア７開によって撮影された記録映像を再生させるもので、メールボックス１にメール５を投入させると、略同時に契約者によってメール５の存在が確認されると共に、メールボックス１の破壊などの不正の確認並びに追跡調査を行え、またメールボックス１設置者がメールボックス１のメール５出入などの履歴をチェックすることにより、メールボックス１の使用状態の察知などを設置者が行える。
【００１０】
上記から明らかなように、配達物を配達先に分けて保管する複数の箱体であるメールボックス１を設ける配達システムにおいて、メールボックス１内部の配達物であるメール５の有無を検出する配達センサであるメールセンサ８と、メールボックス１のドア７の開閉を検出するドアセンサ１０と、メールセンサ８がメール５を検出したときに配達先に自動的に知らせる手段と、ドアセンサ１０がドア７の開閉を検出したときに該当するメールボックス１付近を撮影及び記録する手段とを設け、例えば設置者がメールボックス１にメール５を入れることによって配達先の契約者に速やかに通知し、契約者がメールボックス１のドア７を開けてメール５を取出す状況を記録することによって不正等を確認し、めーる５の出入の履歴を見ることによってメールボックス１の稼動状況または不正等の追跡調査などを行う。
【００１１】
また、メールセンサ８及びドアセンサ１０の検出結果に基づき、電話回線１２を用いて配達先に配達物が有ることを知らせる管理コンピュータ３を設け、メール５の有無並びにドア７の開閉の検出によって配達先の契約者がメール５を取出すのを忘れる等の不具合をなくすと共に、例えばドア７の不正な開閉によってメール５が紛失する事故が発生したときに追跡調査など適正な対処を速やかに行える。
【００１２】
さらに、図２及び図３に示すメールボックス１の設置構造は、主に、郵便局の私書箱としてメールボックス１を使用するものであり、図６及び図７は、図２及び図３の変形例を示し、建屋の壁４に全てのメールボックス１の背面側を当接させて固定させ、メールボックス１のドア７に投入口６を開設させ、ドア７を閉じた状態でドア７の投入口６からメール５を投入させる一方、ドア７を開放して内部のメール５を取出す構造であり、例えば集合住宅の郵便受けとしてメールボックス１を使用するものである。
【００１３】
【発明の効果】
以上実施例から明らかなように本発明は、請求項１の如く、配達物を配達先に分けて保管する複数の箱体１を設ける配達システムにおいて、箱体１内部の配達物５の有無を検出する配達センサ８と、箱体１のドア７の開閉を検出するドアセンサ１０と、配達センサ８が配達物５を検出したときに配達先に自動的に知らせる手段と、ドアセンサ１０がドア７の開閉を検出したときに該当する箱体１付近を撮影及び記録する手段とを設けるもので、例えば設置者が箱体１に配達物５を入れることによって配達先の契約者に速やかに通知でき、契約者が箱体１のドア７を開けて配達物５を取出す状況を記録することによって不正等を容易に確認でき、配達物５の出入の履歴を見ることによって箱体１の稼動状況または不正等の追跡調査などを容易に行うことができるものである。
【００１４】
また、請求項２の如く、配達センサ８及びドアセンサ１０の検出結果に基づき、電話回線１２を用いて配達先に配達物が有ることを知らせる管理コンピュータ３を設けるもので、配達物５の有無並びにドア７の開閉の検出によって配達先の契約者が配達物５を取出すのを忘れる等の不具合をなくすことができると共に、例えばドア７の不正な開閉によって配達物５が紛失する事故が発生したときに追跡調査など適正な対処を速やかに行うことができるものである。
【図面の簡単な説明】
【図１】全体の説明図。
【図２】メールボックスの側面図。
【図３】同平面図。
【図４】配信制御回路図。
【図５】配信制御フローチャート。
【図６】図２の変形例を示す側面図。
【図７】同平面図。
【符号の説明】
（１）  メールボックス（箱体）
（３）  管理コンピュータ
（５）  メール（配達物）
（７）  ドア
（８）    メールセンサ（配達センサ）
（１０）ドアセンサ
（１２）電話回線
【図１】
2005013327.tif 000003
【図２】
2005013327.tif 000004
【図３】
2005013327.tif 000005
【図４】
2005013327.tif 000006
【図５】
2005013327.tif 000007
【図６】
2005013327.tif 000008
【図７】
2005013327.tif 000009